(57)【要約】【課題】  時々刻々と変化するデータに対するメタデータの効率的な保存及び参照を可能とするメタデータの保存方法等を提供する。【解決手段】  メタデータに記述されている項目値を一意に識別可能な項目情報を抽出し、該項目情報と、該メタデータの記述対象である提供データのネットワーク上での位置情報を組にすることにより記憶装置内で一意に識別可能な識別子を生成し、該識別子単位で記憶装置内に項目値を時系列に並べて格納する。【選択図】  図１
2005092583.tif 000002
【特許請求の範囲】
【請求項１】
情報提供サイトがネットワーク上で提供する提供データについて、該提供データのメタデータをメタデータ提供サイトから所定時間毎に取得したコンピュータが、該メタデータをコンピュータの記憶装置に格納するメタデータ保存方法において、
保存対象となるメタデータは提供データについての記述対象の項目及び該項目の提供データについての値の組を含むものとし、
該メタデータと該メタデータの記述対象である提供データのネットワーク上での位置情報とをネットワークを介して入力する入力ステップと、
メタデータに記述されている項目値を一意に識別可能な項目情報を抽出するとともに該項目情報と前記位置情報とを組にすることにより記憶装置内で一意に識別可能な識別子を生成する識別子生成ステップと、
前記識別子を用いて参照できるように該識別子に対応する項目の項目値を記憶装置に時系列に並べて格納する項目値格納ステップとを備えた
ことを特徴とするメタデータ保存方法。
【請求項２】
前記項目値格納ステップでは、項目値を前記識別子毎に符号化して記憶装置に格納する
ことを特徴とする請求項１記載のメタデータ保存方法。
【請求項３】
前記入力ステップでは、メタデータ及び位置情報とともに該メタデータの生成日時を入力するとともに、
前記位置情報を用いて参照できるように前記生成日時を記憶装置に格納するステップを備えた
ことを特徴とする請求項１又は２何れか１項記載のメタデータ保存方法。
【請求項４】
前記項目値格納ステップでは、前記識別子で参照可能な項目値群の出現頻度を算出するとともに、該出現頻度が１００％の場合には当該項目値が固定値であることを示す情報を付加する
ことを特徴とする請求項１乃至３何れか１項記載のメタデータ保存方法。
【請求項５】
前記項目値格納ステップでは、前記識別子で参照可能な項目値群の統計情報を算出し、該統計情報を前記識別子を用いて参照できるように記憶装置に格納する
ことを特徴とする請求項１乃至４何れか１項記載のメタデータ保存方法。
【請求項６】
情報提供サイトがネットワーク上で提供する提供データについて該提供データのメタデータをメタデータ提供サイトから所定時間毎に取得し、該メタデータを記憶装置に格納するメタデータ保存装置において、
保存対象となるメタデータは提供データについての記述対象の項目及び該項目の提供データについての値の組を含むものとし、
該メタデータと該メタデータの記述対象である提供データのネットワーク上での位置情報とを入力する入力手段と、
メタデータに記述されている項目値を一意に識別可能な項目情報を抽出するとともに該項目情報と前記位置情報とを組にすることにより記憶装置内で一意に識別可能な識別子を生成する識別子生成手段と、
前記識別子を用いて参照できるように該識別子に対応する項目の項目値を記憶装置に時系列に並べて格納する項目値格納手段とを備えた
ことを特徴とするメタデータ保存装置。
【請求項７】
コンピュータを、
情報提供サイトがネットワーク上で提供する提供データについて、メタデータ提供サイトが提供し且つ前記提供データについての記述対象の項目及び該項目の提供データについての値の組を含む提供データのメタデータと、該メタデータの記述対象である提供データのネットワーク上での位置情報とを入力する入力手段と、
メタデータに記述されている項目値を一意に識別可能な項目情報を抽出するとともに該項目情報と前記位置情報とを組にすることにより記憶装置内で一意に識別可能な識別子を生成する識別子生成手段と、
前記識別子を用いて参照できるように該識別子に対応する項目の項目値をコンピュータの記憶装置に時系列に並べて格納する項目値格納手段として機能させる
ことを特徴とするメタデータ保存プログラム。
【請求項８】
請求項７記載のメタデータ保存プログラムを記録した記録媒体。
【発明の詳細な説明】
【技術分野】
【０００１】
本発明は、情報提供サイトがネットワーク上で提供する提供データについて該提供データのメタデータをメタデータ提供サイトから所定時間毎に取得し、任意時点におけるメタデータの任意項目を他のアプリケーションに対して提供するシステムにおいて、メタデータ提供サイト取得した大量のメタデータを効率的に保存する方法に関する。
【背景技術】
【０００２】
メタデータとはData about Dataとも呼ばれ、ある一時点（基本的には現時点）での任意データに関するデータである。前記任意データが変化すればメタデータも変化する。
【０００３】
メタデータの一例としては、Ｗ３Ｃ(World Wide Web Consortium：http://www.w3c.org/)が標準化を行ったＷｅｂサイトのＨＴＭＬデータに関するメタデータであるＲＳＳ(RDF Site Summary)などが挙げられる。現在、このようなメタデータを積極的に生成・流通させ、効率的に利用しようとする試みが広く検討されている（非特許文献１及び２参照）。
【非特許文献１】”SemanticWeb.org”，［平成１５年８月２７日検索］，インターネットＵＲＬ＜http://www.semanticweb.org/＞
【非特許文献２】”The Extensible Stylesheet Language Family (XSL)”，［平成１５年８月２７日検索］，インターネットＵＲＬ＜http://www.w3.org/Style/XSL/＞
【発明の開示】
【発明が解決しようとする課題】
【０００４】
ところで、上記メタデータでは基本的に現時点のメタデータのみを取り扱っている。一方で時々刻々と変化するデータに対するメタデータについて、そのメタデータの時系列変化を参照したいという要望があるが、前述のように従来は現時点でのメタデータのみを取り扱うので該要望に応えられない。なお、このような事例としては、例えば「株価が上下する」「天気が変わる」と言った時系列変化を参照する、という事が挙げられる。なお、このように時々刻々と変化するデータに対するメタデータの列を時系列メタデータと呼ぶものとする。
【０００５】
ところで、メタデータの項目値（例えば株価）について統計処理・時系列解析・予測などを行おうことを考えると、これらの処理はサンプル数が多いほど精度が高くなる。しかし、それは同時に大量の時系列メタデータを保存しなければならないことを意味するため、メモリ・ディスク容量などの計算機資源を圧迫するという問題が生じる。
【０００６】
一方、メタデータ文書に対し、当該文書の冗長性を少なくするような符号化（圧縮）を行うことで、外部記憶装置などの計算機資源を有効に利用できるが、各項目の時間的連続性は失われてしまう。このため、例えば任意の項目値に関して、過去の蓄積された全データを参照しようとすると、全文書の復号化（解凍）を行わなければならないという問題がある。
【０００７】
本発明は、上記事情に鑑みてなされたものであり、その目的とするところは、時々刻々と変化するデータに対するメタデータの効率的な保存及び参照を可能とするメタデータの保存方法等を提供することにある。
【課題を解決するための手段】
【０００８】
上記目的を達成するために、本発明は、情報提供サイトがネットワーク上で提供する提供データについて、該提供データのメタデータをメタデータ提供サイトから所定時間毎に取得したコンピュータが、該メタデータをコンピュータの記憶装置に格納する際に、保存対象となるメタデータは提供データについての記述対象の項目及び該項目の提供データについての値の組を含むものとし、該メタデータと該メタデータの記述対象である提供データのネットワーク上での位置情報とをネットワークを介して入力し、メタデータに記述されている項目値を一意に識別可能な項目情報を抽出するとともに該項目情報と前記位置情報とを組にすることにより記憶装置内で一意に識別可能な識別子を生成し、前記識別子を用いて参照できるように該識別子に対応する項目の項目値を記憶装置に時系列に並べて格納することを特徴とする。
【０００９】
本発明によれば、メタデータの記述対象である記述対象である提供データの位置情報とメタデータ内の項目値を一意に参照可能な項目情報とを組にした識別子によりメタデータの項目値の参照が可能になる。これにより、他の項目値を参照することなく任意時点での任意の項目についての値を参照できる。また、前記識別子単位で項目値を格納しているので、項目値のデータ特性（例えば数値・文字）に合わせた符号化処理（例えば圧縮処理）を採用できる。
【発明の効果】
【００１０】
以上説明したように本発明によれば、時々刻々と変化するデータに対するメタデータについて効率的な保存及び参照が可能となる。
【発明を実施するための最良の形態】
【００１１】
（第１の実施の形態）
本発明の第１の実施の形態に係る時系列メタデータ保存装置について図面を参照して説明する。図１は時系列メタデータ保存装置を含むシステム全体のネットワーク構成図である。
【００１２】
本実施の形態に係るシステムは、図１に示すように、時系列メタデータ保存装置１０がネットワークを介してメタデータ提供装置２０からメタデータを取得・保存し、このメタデータを他のアプリケーション３０から参照可能にするものである。
【００１３】
メタデータ提供装置２０は、ＨＴＭＬ(Hyper Text Markup Language)で記述された時々刻々と変化するデータをＨＴＴＰ(Hyper Text Transfer Protocol)で利用者に提供するとともに、該データのメタデータをＸＭＬ(eXtensible Markup Language)で記述して利用者に通知するサービスを行う。すなわち、本実施の形態では、メタデータの提供サイトと該メタデータの記述対象となるデータの提供サイトとが同一のものとなっている。メタデータ提供装置２０が提供するＸＭＬ記述のメタデータは所定時間毎に更新される。
【００１４】
本実施の形態では、メタデータ提供装置２０は、東京外国為替市場の円相場を３分毎にＸＭＬ記述のメタデータとして提供するサービスを行っているものとする。このメタデータは、図２に例示するように、現在１ドル何円であるかを示す数値をタグ<Rate>〜</Rate>で囲んでいる。
【００１５】
時系列メタデータ保存装置１０は、ＨＴＴＰによる入出力用の通信インタフェース１１と、メタデータ収集部１２と、識別子生成部１３と、項目値獲得部１４と、項目値格納部１５、時系列メタデータレポジトリ１６、時系列項目値符号化部１７と、時系列項目値復号化部１８とを備えている。なお、この時系列メタデータ保存装置１０は、コンピュータに前記各部として機能するプログラムをインストールすることにより実装される。
【００１６】
メタデータ収集部１２は、指定された一定時間毎（本実施例ではメタデータ提供装置２０が情報を更新する３分毎）に入力用の通信インタフェース１１ａを介してメタデータ提供装置２０に現在のメタデータの要求（ＨＴＴＰリクエスト）を行う。例えば、メタデータ収集部１２は、３分おきに円相場情報提供サイト（URL:http://www.exchange.com/）にあるメタデータYenRate.xmlを収集する。なお、このメタデータYenRate.xmlは、同サイトが提供するYenRate.htmlのメタデータであるものとする。
【００１７】
識別子生成部１３は、入力されたメタデータであるＸＭＬ文書を解析し、当該ＸＭＬ文書中で項目値を持っている全ての項目を図３のようにＸＰａｔｈ（ＸＭＬ文書内で任意項目の位置を指定して参照するための規格（非特許文献２参照））で表記するとともに、このメタデータの記述対象であるデータのＵＲＩ（Universal Resource Identifier）と組み合わせ時系列メタデータレポジトリ１６に格納するための識別子を生成する。
【００１８】
項目値獲得部１４は、前記ＸＰａｔｈに関し、図４のようにその位置情報に対応した項目値を獲得する。例として<Rate>タグに関する処理を挙げると、ＸＰａｔｈ表記は、/DollarExchange/Rate/となり、項目値は110.3となる。
【００１９】
項目値格納部１５は、前記識別子を用いて前記項目値を時系列メタデータレポジトリ１６に格納する。ここで、項目値格納部１５は、前記識別子を有するキュー（又はスタック）が時系列メタデータレポジトリ１６に既に存在しない場合には該識別子を有するキュー（又はスタック）を生成する。そして、該識別子を有するキュー（又はスタック）に前記項目値を格納する。これにより、時系列メタデータレポジトリ１６には、時系列に並んだ前記項目値のデータ列が識別子毎に格納される。
【００２０】
時系列項目値符号化部１７は、時系列に保存された項目値を圧縮する。圧縮のアルゴリズムは種々のものを用いることができるが、本実施形態ではランレングス圧縮を用いた。
【００２１】
出力用の通信インタフェース１１ｂは、後述のアプリケーション３０からメタデータの参照要求を受け取る。この参照要求には、ＸＭＬ文書の記述対象のデータのＵＲＩ、ＸＭＬ文書内の項目のＸＰａｔｈ、及び現在のメタデータからいくつ前の時点かを指定する時点Ｔが含まれる。
【００２２】
時系列項目値復号化部１８は、前記出力用通信インタフェース１１ｂが受け取ったＵＲＩ及びＸＰａｔｈを識別子として、時系列メタデータレポジトリ１６内から対応する符号化済み時系列項目の配列を取得し、復号化を行ったのち、時点Ｔで指定された項目値を、前記出力用通信インタフェース１１ｂを通じて、アプリケーション３０に提供する。
【００２３】
次に、本実施の形態に係る時系列メタデータ保存装置１０の動作について図５及び図６を参照して説明する。図５は時系列メタデータ保存装置の処理フローを説明する図、図６は時系列メタデータ保存装置の動作を説明するフローチャートである。
【００２４】
なお、説明を簡単にするために、図５及び図６において、識別子生成手段４１は、図１を参照して前述した識別子生成部１３・項目値獲得部１４の機能を有するものとする。同様に、項目値格納手段４２は、項目値格納部１５・時系列項目値符号化部１７・時系列項目値復号化部１８の機能を有するものとする。
【００２５】
まず、識別性生成手段４１は、ＸＭＬで記述されたメタデータ及び該メタデータの記述対象であるデータのＵＲＩが入力されると、当該メタデータをＸＭＬ解析して該メタデータのＸＰａｔｈを取得する（図５のステップＳ１，図６のステップＳ１１）。そして、入力されたＵＲＩ及び前記ＸＰａｔｈから項目値を一意に識別する識別子を生成する（図５のステップＳ２，図６のステップＳ１２）。
【００２６】
次に、項目値格納手段４２は、時系列メタデータレポジトリ１６内に前記識別子をもつキュー（又はスタック）が存在するかを検索する（図５のステップＳ３，図６のステップＳ１３）。存在しない場合には当該識別子を有するキュー（又はスタック）を新たに生成し、存在する場合には当該識別子を有するキュー（又はスタック）を復号化する（図５のステップＳ４，図６のステップＳ１４〜Ｓ１６）。そして、生成したキュー（又はスタック）或いは復号化したキュー（又はスタック）に、前記識別子生成手段４１で抽出された項目値を追加する（図５のステップＳ５，図６のステップＳ１７）。最後に当該キュー（又はスタック）を再び符号化する（図５のステップＳ６，図６のステップＳ１８）。
【００２７】
次に、この時系列メタデータ保存装置１０を利用する外部アプリケーションについて再び図１を参照して説明する。本実施形態においては、この外部アプリケーション３０は、円為替レートが減少傾向になったときに、当該アプリケーション利用者３４に通知を行うものであるとする。これ以外のアプリケーションが前記時系列メタデータ保存装置１０を利用する場合も以下と同様の処理を行う。
【００２８】
アプリケーション３０は、前記時系列メタデータ保存装置１０との通信を行うための通信インタフェース３１と、アプリケーション製作者が前記時系列メタデータ保存装置１０から獲得したメタデータ項目値を用いた処理を記述するためのロジック部３２と、処理結果の表示あるいはユーザリクエストを入力するためのユーザインタフェース３３とを備えている。
【００２９】
ここで、アプリケーション製作者は、経験から「円相場はｆ（ｔ）の連続する３時点の微分値が０以下であれば、以降減少傾向になる」という知識を持っているとする。そこで、その知識をロジック部３２に実装すると、以下のような論理式で表される。
【００３０】
【数１】
2005092583.tif 000003
【００３１】
したがって、ロジック部３２は、該式のパラメータｆ（ｔ）を取得するために、通信インタフェース３１を介して時系列メタデータ保存装置１０に問い合わせればよい。この問い合わせには、利用するメタデータの記述対象のデータのＵＲＩ（上記の例ではhttp://www.exchange.com/YenRate.html）と、ＸＰａｔｈ（上記の例では/DollarExchange/Rate/）と、時点ｔとが含まれる。そして、ロジック部３２は、時系列メタデータ保存装置１０からｆ（ｔ）の値を取得して上記式（１）を評価し、式（１）を満たすときにはユーザインタフェース３３を通じて利用者に「円為替レートが減少傾向にある」という事を通達する。
【００３２】
このように、アプリケーション３０は時系列メタデータを使った処理を行う際に、ＵＲＩとメタデータのＸＰａｔｈ及び参照した時点を指定することで、容易に時系列メタデータを獲得できる。
【００３３】
本実施の形態に係る時系列メタデータ保存装置によれば、ＸＭＬ表記のメタデータからＸＰａｔｈを取得するとともに、該メタデータの記述対象のデータのＵＲＩと前記ＸＰａｔｈとを組にしてなる識別子を生成し、この識別子毎に項目値を保存しているので、項目を指定した参照要求に対して容易且つ高速に項目値を提供することができる。
【００３４】
また、符号化（圧縮）されていても、メタデータの識別子及び文書構造を維持したまま時系列保存されるので、構造化され参照が容易なＸＭＬドキュメントの利便性を損なわれることがない。
【００３５】
さらに、前記識別子毎に符号化（圧縮）を行っているので、項目値のデータ特性（例えば数値・文字）に合わせた符号化処理（例えば圧縮処理）を採用できる。これにより、メモリ・ディスクスペース・ＣＰＵパワーといった有限の計算機資源を効率的に用いることができる。
【００３６】
なお、本実施の形態では、時系列メタデータレポジトリ１６にメタデータの項目値を保存する際に符号化を行っているが、この符号化を省略しても本発明を実施できる。この場合には、図１に示す時系列メタデータ保存装置１０のうち、時系列項目値符号化部１７と時系列項目値復号化部１８とが不要となる。
【００３７】
（第２の実施の形態）
本発明の第２の実施の形態に係る時系列メタデータ保存装置について図面を参照して説明する。図７は第２の実施形態に係る時系列メタデータ保存装置の構成図である。
【００３８】
本実施の形態に係る時系列メタデータ保存装置が第１の実施形態のものと異なる点は、メタデータの入力ログを記録するところにある。以下、この相違点のみを説明する。
【００３９】
図７に示すように、時系列メタデータ保存装置１０は、第１の実施の形態のものに付け加えて入力ログ記録部１９を備えている。この入力ログ記録部１９の処理フローを図８に示す。図８に示すように、入力ログ記録部１９は、メタデータの記述対象であるデータのＵＲＩと、メタデータが入力された時刻（例えばＧＭＴ表記）とを入力としてログを記録する。具体的には、ＵＲＩを識別子（ファイル名）とするログファイルを生成し（ステップＳ２１）、このログファイルに入力時刻を逐次追記する（ステップＳ２２）。
【００４０】
以上のように本実施の形態に係る時系列メタデータ保存装置１０によれば、メタデータの入力ログを記録しているので、時系列メタデータの管理能力が向上する。
【００４１】
（第３の実施の形態）
本発明の第３の実施の形態に係る時系列メタデータ保存装置について図面を参照して説明する。図９は第３の実施形態に係る時系列メタデータ保存装置の動作を説明するフローチャートである。
【００４２】
本実施の形態に係る時系列メタデータ保存装置が第１の実施の形態と異なる点は、時系列メタデータレポジトリ１６に、項目値が一定の値（固定値）であるかを示す固定値フラグを設け、項目値が経時的に変化しない場合には該固定値フラグをセットするところにある。以下、この相違点について図９を参照して説明する。
【００４３】
まず、識別性生成手段４１は、ＸＭＬで記述されたメタデータ及び該メタデータの記述対象であるデータのＵＲＩが入力されると、当該メタデータをＸＭＬ解析して該メタデータのＸＰａｔｈを取得する（ステップＳ３１）。そして、入力されたＵＲＩ及び前記ＸＰａｔｈから項目値を一意に識別する識別子を生成する（ステップＳ３２）。
【００４４】
次に、項目値格納手段４２は、時系列メタデータレポジトリ１６内に前記識別子をもつキュー（又はスタック）が存在するかを検索する（ステップＳ３３）。存在しない場合には当該識別子を有するキュー（又はスタック）を新たに生成し、さらに固定値フラグをＴｒｕｅに設定する（ステップＳ３４，Ｓ３５）。その後に、このキュー（又はスタック）を復号化し（ステップＳ３６）、項目値を追加し（ステップＳ３７）、そして符号化する（ステップＳ３８）。
【００４５】
前記ステップＳ３４で前記識別子をもつキュー（又はスタック）が存在する場合であって、且つ、その固定値フラグがＴｒｕｅでないなら（ステップＳ３９）、このキュー（又はスタック）を復号化し（ステップＳ３６）、項目値を追加し（ステップＳ３７）、そして符号化する（ステップＳ３８）。
【００４６】
存在するキュー（又はスタック）の固定値フラグがＴｒｕｅであり、且つ、登録しようとする項目値がキュー（又はスタック）内の他の値と同じでないならば（ステップＳ４０）、固定値フラグにＦａｌｓｅをセットし（ステップＳ４２）、項目値を追加し（ステップＳ３７）、そして符号化する（ステップＳ３８）。
【００４７】
存在するキュー（又はスタック）の固定値フラグがＴｒｕｅであり、且つ、登録しようとする項目値がキュー（又はスタック）内の他の値と同じならば（ステップＳ４０）、キュー（又はスタック）への項目値追加をすることなく処理を終了する。
【００４８】
本実施の形態に係る時系列メタデータ保存装置によれば、保存しようとする項目値が経時的変化を伴わない固定的な値である場合には、キュー（又はスタック）の符号化・復号化処理、及び項目値の保存処理が省略されるので、高速な処理が可能となる。また、外部アプリケーションから「時点」を指定した項目値への参照要求があった場合であっても、その時点に拘わらず固定値を返答すればよいので、高速な応答が可能となる。
【００４９】
なお、本実施の形態では第１の実施形態の変形例として説明したが、第２の実施形態においても同様の変形例が可能である。
【００５０】
（第４の実施の形態）
本発明の第４の実施形態に係る時系列メタデータ保存装置について図面を参照して説明する。図１０は第４の実施形態に係る時系列メタデータ保存装置の構成図である。
【００５１】
本実施の形態に係る時系列メタデータ保存装置が第１の実施形態のものと異なる点は、時系列メタデータレポジトリ１６に記録した項目値の統計値を算出する統計値算出部５１を備えたところにある。以下、この相違点のみを説明する。
【００５２】
図１０に示すように、この時系列メタデータ保存装置１０は、統計値算出部５１を備えている。この統計値算出部５１は、項目値格納部１５により時系列メタデータレポジトリ１６に項目値が時系列に格納された後に、その項目値群の統計値を算出する。統計値の種類としては、平均値・出現頻度・最大値・最小値・分散などが挙げられる。この統計値は、時系列メタデータレポジトリ１６への項目値の格納と同様に、前述した識別子毎に時系列メタデータレポジトリ１６に格納される。すなわち、ＸＭＬ記述のメタデータのＸＰａｔｈと、該メタデータの記述対象のデータのＵＲＩとを組にしてなる識別子（ファイル名）を用いて、統計情報を格納する。
【００５３】
本実施の形態に係る時系列メタデータ保存装置によれば、外部アプリケーションからの前述の識別子を指定した参照要求に応じて、項目値の統計情報を提供することができる。したがって、アプリケーションにとっては、自身で統計情報を算出する必要がないので処理効率を向上させることができる。
【００５４】
なお、本実施の形態では第１の実施形態の変形例として説明したが、第２の実施形態又は第３の実施形態においても同様の変形例が可能である。
【００５５】
以上、本発明の第１〜第４の実施形態について詳述したが、本発明はこれに限定されるものではない。例えば上記実施の形態では、メタデータの記述言語としてＸＭＬを採用したが他の言語・仕様で記述してもよい。また、上記実施の形態では、メタデータに記述されている項目値を一意に識別可能な項目情報を抽出するためにＸＰａｔｈを採用したが、他の手法を採用してもよい。さらに、メタデータの記述対象となるデータの位置情報の表現手法としてＵＲＩを用いたが、他の手法により位置情報を表現するようにしてもよい。
【００５６】
さらに、上記実施の形態では、メタデータの提供装置と該メタデータの記述対象となるデータの提供装置が同一の場合を例示したが、それぞれ異なる装置（サイト）が提供する場合であっても本発明を実施できる。
【図面の簡単な説明】
【００５７】
【図１】時系列メタデータ保存装置を含むシステム全体のネットワーク構成図
【図２】ＸＭＬで記述されたメタデータの一例
【図３】図２のメタデータのＸＰａｔｈ表記
【図４】図３のＸＰａｔｈに対応する項目値の取得結果
【図５】時系列メタデータ保存装置の処理フロー
【図６】時系列メタデータ保存装置の動作を説明するフローチャート
【図７】第２の実施形態に係る時系列メタデータ保存装置の構成図
【図８】第２の実施形態に係る時系列メタデータ保存装置における入力ログ記録部の処理フロー
【図９】第３の実施形態に係る時系列メタデータ保存装置の動作を説明するフローチャート
【図１０】第４の実施形態に係る時系列メタデータ保存装置の構成図
【符号の説明】
【００５８】
１０…時系列メタデータ保存装置、１１ａ…入力用通信インタフェース、１１ｂ…出力用通信インタフェース、１２…メタデータ収集部、１３…識別子生成部、１４…項目値獲得部、１５…項目値格納部、１６…時系列メタデータレポジトリ、１７…時系列項目値符号化部、１８…時系列項目値復号化部、１９…入力ログ記録部、２０…メタデータ提供装置、３０…外部アプリケーション、３１…通信インタフェース、３２…ロジック部、３３…ユーザインタフェース、４１…識別子生成手段、４２…項目値格納手段、５１…統計値算出部。
【図１】
2005092583.tif 000004
【図２】
2005092583.tif 000005
【図３】
2005092583.tif 000006
【図４】
2005092583.tif 000007
【図５】
2005092583.tif 000008
【図６】
2005092583.tif 000009
【図７】
2005092583.tif 000010
【図８】
2005092583.tif 000011
【図９】
2005092583.tif 000012
【図１０】
2005092583.tif 000013